(57)【要約】【課題】戸当りを簡素化し、ドア木枠に容易に取付けて作業性を向上させると共にコストダウンに寄与する。【解決手段】本発明は、ヒンジを介して開閉されるドアの閉塞時に、該ドア１５を所定位置に係止させるためのポリプロピレン（ｐ．ｐ．）製の戸当り１１であって、該戸当り１１は該戸当り１１が取付けられるべき側のドア木枠１０方向を開放した断面形状略升型の本体部１１ａと、該本体部１１ａの該開放部両側端から縮径されてドア木枠１０方向へ延設された嵌合部１１ｂと、該本体部１１ａの長手方向一側面であってドア１５が当接する面に固設されるウレタンゴム等から成るクッション材１３と、前記嵌合部１１ｂの開放端面に固設されているウレタンゴム等から成形された嵌合固定材１４とから成ることを特徴とする戸当り１１、及び前記戸当り１１をドア木枠１０に設けた長穴１２に接着剤Ｍを用いて容易迅速に取付けることができる戸当り装置を提供する。【選択図】  図３
2004278217.tif 000002
【特許請求の範囲】
【請求項１】
ヒンジを介して開閉されるドアの閉塞時に、該ドアを所定位置に係止させるためのポリプロピレン製の戸当りであって、該戸当りは該戸当りが取付けられるべき側のドア木枠方向を開放した断面形状略升型の本体部と、該本体部の該開放部両側端から縮径されてドア木枠方向へ延設された嵌合部と、該本体部の長手方向一側面であってドアが当接する面に固設されるウレタンゴム等から成形されたクッション材と、前記嵌合部の開放端面に固設されているウレタンゴム等の嵌合固定材とから成ることを特徴とする戸当り。
【請求項２】
上記請求項１記載の戸当りを用いた戸当り装置であって、該戸当り装置は、上記戸当りが取付けられるべき側のドア木枠の長手方向へ沿って開穿されている戸当り長穴に、該戸当りの嵌合部を該嵌合部の前端面に固設されている嵌合固定材と共に接着剤を用いて嵌合固定させ、且つ、該戸当りの本体部を該ドア木枠の表面から突設させ、前記クッション材がドアに圧接してドアを密閉できるように構成されたことを特徴とする請求項１記載の戸当りを用いた戸当り装置。
【発明の詳細な説明】
【０００１】
【発明の属する技術分野】
この発明はポリプロピレン（ｐ．ｐ．）製の戸当り及び該戸当りを用いた戸当り装置に関するものであり、特に、ポリプロピレンにて成形された戸当りが戸当り木枠に強固に固定されてドアの開閉動作が円滑に実行されるようにした戸当り及び該戸当りを用いた戸当り装置に関するものである。
【０００２】
【従来の技術】
従来の此種戸当り及び戸当り装置を図５及び図６に従って説明する。図に於いて１はドア枠であり、該ドア枠１には戸当り２の本体部２ａ下部に縮径部２ｂを嵌合するための長穴３が開穿されており、そして、該長穴３内に戸当り２の下部縮径部２ｂを嵌合してある。而して、該戸当り２にはドア４側に形成された水平に延びる溝５が設けられており、そして、該溝５に嵌め込まれ、ドア４の閉塞時に該ドア４に弾接して前記ドア枠１とドア４との間の隙間を隠すパッキン６を有し、更に、戸当り２に形成された前記溝５は該戸当り２の上部からドア４側に突出した上片２ｃと、同じく該戸当り２の下部からドア４側に前記上片２ｃより大きく突出し、且つ、前記ドア枠１上面に沿設される下片２ｄとの間に形成され、更に、該戸当り２は、該下片２ｄを貫通してドア枠１に向ってネジ７がねじ込まれることによってドア枠１に固定されると共に、前記パッキン６はネジ７の頭を隠蔽するように袋状に形成されてその根部を前記溝５に嵌合されて成るのである。（例えば、特許文献１参照）
【０００３】
【特許文献１】
特開２００２−３０３０７６号
【０００４】
【発明が解決しようとする課題】
上記従来の戸当り２は、ドア４側の側面に上片２ｃと下片２ｄとが形成され、且つ、下片２ｄを上片２ｃより大きくドア４側に突設し、而も、該上片２ｃと下片２ｄとの間に溝５が形成され、そして、該溝５に袋状のパッキン６の根部を嵌合すると共に、該戸当り２の前記下片２ｄの上面からネジ７を用いてドア枠１にねじ込み、そして、該戸当り２をドア枠１に取付けている。尚、前記袋状のパッキン６はドア４の閉止時に該ドア枠１に弾接してドア枠１とドア４との隙間を隠し、且つ、前記ネジ７の頭も隠蔽するように構成されているので、該戸当り２をドア枠１に固定する際、該ネジ７をドア枠１の長手方向に多数ねじ込まねばならず、該戸当り２のドア枠１に対する固定作業も煩雑であり、且つ、該ネジ７をねじ込んだ後、該ネジ７の頭を隠蔽すべく前記パッキン６を前記溝５に嵌合する作業も極めて面倒である。
【０００５】
そこで、戸当りを簡易な構成にしてドア枠に容易確実に取付けることができるようにするために解決せられるべき技術的課題が生じてくるのであり、本発明は該課題を解決することを目的とする。
【０００６】
【課題を解決するための手段】
本発明は上記目的を解決するために提案されたものであり、ヒンジを介して開閉されるドアの閉塞時に、該ドアを所定位置に係止させるためのポリプロピレン製の戸当りであって、該戸当りは該戸当りが取付けられるべき側のドア木枠方向を開放した断面形状略升型の本体部と、該本体部の該開放部両側端から縮径されてドア木枠方向へ延設された嵌合部と、該本体部の長手方向一側面であってドアが当接する面に固設されるウレタンゴム等から成るクッション材と、前記嵌合部の開放端面に固設されているウレタンゴム等から成形された嵌合固定材とから成る戸当り、及び、上記請求項１記載の戸当りを用いた戸当り装置であって、該戸当り装置は、上記戸当りが取付けられるべき側のドア木枠の長手方向へ沿って開穿されている戸当り長穴に、該戸当りの嵌合部を該嵌合部の前端面に固設されている嵌合固定材と共に接着剤を用いて嵌合固定させ、且つ、該戸当りの本体部を該ドア木枠の表面から突設させ、前記クッション材がドアに圧接してドアを密閉できるように構成された戸当りを用いた戸当り装置を提供するものである。
【０００７】
【発明の実施の形態】
以下、本発明の一実施の形態を図１乃至図３に従って説明する。図に於いて１０はドア木枠である。該ドア木枠１０にはポリプロピレンにて成形された長手方向略中央部に戸当り１１を嵌合するための長穴１２が開穿されている。前記戸当り１１は断面形状略升型の本体部１１ａと、該本体部１１ａから縮径されてドア木枠１０方向へ延設された嵌合部１１ｂと、該本体部１１ａの長手方向一側面に一端部が溶着されて斜め方向へ突設されたウレタンゴム等のクッション材１３と、前記嵌合部１１ｂの先端面に溶着されたウレタンゴム等から成形された嵌合固定材１４とから成る。
【０００８】
而して、該戸当り１１の前記本体部１１ａはドア木枠１０を開放した中空状に形成され、更に、該本体部１１ａの開放部から縮径されてドア木枠１０方向へ延設された嵌合部１１ｂも前面が開放されて中空状に形成されている。而も、之等本体部１１ａ及び嵌合部１１ｂは樹脂の射出成形にて形成されることができ、生産性が向上する。又、前記クッション材１３及び嵌合固定材１４はウレタンゴム等の材質のものが選択されるが之に限定せられるべきではない。而して、前記本体部１１ａ及び嵌合部１１ｂはドア木枠１０の長さに相当する長さを有する。従って、前記クッション材１３及び嵌合固定材１４の長さも本体部１１ａと同一長さを有することになる。
【０００９】
又、該クッション材１３は図１に示すように、板状に形成されたウレタンゴム材を長手方向中央部を凹設する如く湾曲されて成り、そして、該嵌合固定材１４の長手方向一端部を前記本体部１１ａの一側面の端部近傍（図１に於いて上端部近傍）に一体的に溶着し、そして、斜め方向へ突設させて成る。従って、該クッション材１３は図３に示す如く、ドア１５を閉じたときには該ドア１５に弾接して密閉することができる。
【００１０】
又、前記嵌合固定材１４も扁平板状に形成され、そして、前記嵌合部１１ｂの前端開放面に前記クッション材１３と同様に一体的に溶着されて成るのである。但し、之等クッション材１３及び嵌合固定材１４の取付け手段は適宜の手段によって強固に取付けられるものであればよい。
【００１１】
又、該嵌合固定材１４の長手方向両端部は、前記嵌合部１１ｂの両側端より外方へ夫々やゝ突出するように形成され、そして、この突出部位１４ａ，１４ａが図１に於いて上方へ折曲して嵌着できるように前記嵌合部１１ｂの前面開放両端外側面を斜欠し、この斜欠部Ｐ，Ｐに前記突出部位１４ａ，１４ａが圧接して後述のドア木枠１０に設けた前記長穴１２内に該嵌合部と共に該嵌合固定材１４が密嵌して強固に嵌着されるように形成されるのである。
【００１２】
又、前記ドア木枠１０に開穿された前記長穴１２は前述したように前記戸当り１１の嵌合部１１ｂが密嵌できる程度の穴に形成されている。そこで、該嵌合部１１ｂを該長穴１２に嵌着させて強固に取付けるとき、該嵌合部１１ｂの外側面及び前記嵌合固定材１４の表面に接着剤Ｍを塗布し、そして、該長穴１２内に該嵌合部１１ｂを押し込めれば、該嵌合部１１ｂの前端開放面に溶着されている該嵌合固定材１４の両端部の突出部位１４ａ，１４ａが該長穴１２の壁面によって上方へ折曲され乍ら前記斜欠部Ｐ，Ｐに圧接すると共に、該嵌合固定材１４が該接着剤Ｍの接着作用によって該長穴１２内に強固に密嵌して固定されることになる。又、前記本体部１１ａの外側面には図１の鎖線に示すようにオレフィン系シート貼を施すこともできる。
【００１３】
斯くの如く、本発明の戸当り１１はドア木枠１０に容易且つ強固に取付けられてドア１５の開閉動作を円滑ならしめることができる。
【００１４】
【発明の効果】
この発明は上記一実施の形態にて詳述したように、ポリプロピレン製の戸当りは強靭であって、  且つ、簡易に生産することができ、更に、ドア木枠に該戸当りを取付けるとき、ウレタンゴム等から成る嵌合固定材が接着剤によってドア木枠の長穴に密嵌し乍ら強固に結合する。依って、該戸当りはドア木枠に対して容易迅速且つ、強固に固定されることができ、作業性が向上すると共にコストダウンにも寄与する。又、ウレタンゴム等から成るクッション材もドアを閉じるとき、クッション作用と同時にドアの密閉も行われ、円滑なるドアの開閉動作が実行されるのである。
【図面の簡単な説明】
【図１】本発明の一実施の形態を示し、戸当りの一部切欠斜面図。
【図２】図１の戸当りをドア木枠に取付けた状態を示す斜面図。
【図３】図１の戸当りをドア木枠に取付け、ドアを閉じた状態を示す一部切欠横断平面図。
【図４】従来の戸当りを示し、その斜面図。
【図５】図４の戸当りをドア枠に取付け、更にドアを閉じた状態を示す一部切欠横断平面図。
【符号の説明】
１０        ドア木枠
１１        戸当り
１１ａ      本体部
１１ｂ      嵌合部
１２        長穴
１３        クッション材
１４        嵌合固定材
１５        ドア
Ｍ        接着剤
【図１】
2004278217.tif 000003
【図２】
2004278217.tif 000004
【図３】
2004278217.tif 000005
【図４】
2004278217.tif 000006
【図５】
2004278217.tif 000007